(57)【要約】【課題】サイト開設者が公開するコンテンツを自らインターネット上に遍く知らせる仕組みは無く、コンテンツの利用者が開設者を特定すること無く、コンテンツの公開を速やかに知り、閲覧する仕組みも無い。現状、開設者・利用者間のコンテンツ流通態様は多様ではあるが、流通を完結させる標準的プロセスを備える仕組みは見当たらない。【解決手段】開設者がコンテンツの利用者を想定し、利用者がコンテンツの開設者を予想する。この想定と予想の狭間を埋める階層型カテゴリのゲートにより、想定と予想の出会い機会を拡大し、更に開設者が該ゲートで広告名義と共にコンテンツを広告する手段を用意し、利用者が効率良くコンテンツを見出し閲覧することで、両者間のコンテンツの流通の円滑と両者によるコンテンツの合目的的活用の拡大もたらす手段を講じた。また、開設者には広告無効化防止や広告効果の評価手段を、利用者にはカテゴリへの広告集合効果による選択の便宜性を備えた。【選択図】図１
2012104141.tif 000002
【特許請求の範囲】
【請求項１】
ウェブサイトの開設者（以降、本願において「開設者」と記述する）が、あらかじめ自己の広告名義の登録に併せてパスワードを取得し、公開中のウェブページ情報（以降、本願において「コンテンツ」と記述する）の情報需要者（以降、本願において「利用者」と記述する）が該コンテンツを容易に見出せるよう、自ら階層型カテゴリーの上階層から下階層に至るカテゴリーの検索順を選択して見出し易い道筋を付け、該コンテンツの広告記事を制作して上記広告名義とともに下階層カテゴリーの広告欄に露出させ、利用者が同広告をクリックすることで、該コンテンツを閲覧するよう誘導するコンテンツ広告システム。
【請求項２】
開設者がインターネット経由で前記システムへ接続すると、階層型カテゴリーの上階層リストを主とするトップページを表示した後、開設者のパスワード入力により該リストを上階層広告用リストに切換える手段、該開設者が同リストでカテゴリーを選択すると、該カテゴリー下の中階層広告用リストを表示し、同リストでのカテゴリー選択により、同様に下階層広告用リストを表示し、同リストでのカテゴリー選択が終わると、上、中、下各階層の選択済カテゴリーにより広告用カテゴリーの組合せ（以降、本願において「カテゴリーセット」と記述する）を確定し、各カテゴリーのデータを関係データベースの各階層対応の所定フィールドに登録する手段を備えることを特徴とするコンテンツ広告システム。
【請求項３】
前記カテゴリーセットの登録後、広告用総合入力画面を表示し、同画面に広告名義および選択済カテゴリーセットを表示して、カテゴリーセットの追加および選択済カテゴリーセットの削除等操作を受付け、それぞれ所要工程のプログラム処理を行うと共に、誘導先コンテンツの広告用記事、該コンテンツを掲載するウェブページＵＲＬおよび同ＵＲＬへのリンク期間の各入力を所定のデータ形式で受付け、関係データベースの所定フィールドに登録する手段、続いて該開設者の確認を経て、全登録データを該コンテンツの広告用レコードとして確定しリンク期間中保持する手段、リンク期間満了に伴い、該レコードを関係データベースから削除する手段を備えることを特徴とするコンテンツ広告システム。
【請求項４】
前記トップページ表示の都度、カテゴリーセットとして登録済みの全カテゴリーの個別集計を行い、利用者の検索により順次開く上、中、下各階層カテゴリー画面において各カテゴリー毎に集計値を併せ表示する手段、利用者が上階層検索用リストでカテゴリーを選択すると、該カテゴリー下の中階層検索リストを表示し、同リストでのカテゴリー選択により、該カテゴリー下の下階層を広告欄付カテゴリーリストとして表示する手段、該広告欄に該カテゴリーで設定された広告記事を広告名義とセットで、該設定日時の降順で露出する手段、また同セットをリンク元としてコンテンツを掲載するウェブページへリンクを設定し、同時にアクセスカウンタの計数を該レコードの関係データベース所定フィールドに登録する手段を備えることを特徴とするコンテンツ広告システム。
【請求項５】
前記広告欄に露出する広告名義と広告記事の件数が表示容量を超える場合、該広告欄のカテゴリー位置に拡張のサインを表示し、利用者のクリックにより広告欄を拡張し表示する手段を備えることを特徴とするコンテンツ広告システム。
【請求項６】
開設者が広告露出中である自己のコンテンツへのアクセス状況を照会するため、前記上階層広告リストの表示画面でパスワードを入力する都度、関係データベースから該パスワードで登録された全レコードを読出し、リンク期間の始期を降順キーに、レコード毎のリンク期間、カテゴリーセット、広告記事およびアクセス数累計を一覧表示するとともに、広告記事のクリックにより広告中のコンテンツの確認を行う手段を備えることを特徴とするコンテンツ広告システム。
【発明の詳細な説明】
【技術分野】
【０００１】  本発明は、開設者が公開するコンテンツを、自らインターネットにより想定する利用者に向け遍く知らせ、開設者の立場から情報流通を主導するとともに、利用者が求める情報分野で該コンテンツの公開を容易に知り、それを速やかに入手し利用する方法に関する。
【背景技術】
【０００２】  インターネットによる情報流通の現状を見ると、機能改善が著しい検索エンジンやその応用技術の恩恵に浴する利用者に対し、媒体広告やネット広告を除き、自ら公開するコンテンツの周知をはかる日常的手段を持たない開設者は、情報公開による受益の面で、依然利用者の検索次第という状況に止まっている。【０００３】  勿論、利用者の情報検索手段に関する技術的提案の多くは、検索範囲や検索内容を拡大、深化させる方向での多くの改善を生んでおり、結果的に開設者の公開する情報が検索、閲覧される機会は拡大していると見られる。【０００４】  例えば、多数のホームページ情報を収集し、ホームページが持つ属性型情報や、それらの関連語を抽出して検索用カテゴリーに加工してデータベース化し、併せてホームページの性格、知名度、更新頻度等を評価してカテゴリー検索に関連づけ、またホームページ中に含まれる地縁情報により該ホームページを地図上の座標軸を割当てる等により検索の視覚的な補完と精度向上をはかり、ウェブページ検索の範囲と深さを拡大する技術がある。（例えば、特許文献１参照）【０００５】  また、階層型カテゴリーの最下層に多数のリンクレコードを格納し、利用者が入力する検索語を含むカテゴリーからリンク情報を返す他、入力に該当するカテゴリーが無ければ、代替カテゴリーを表示し、それも無ければ入力する“語”単位で候補カテゴリーを表示する等で検索範囲を拡大し、利用者の情報収集範囲を拡大する技術がある。（例えば、特許文献２参照。）【０００６】  さらに、短期間の更新度が高いウェブページを収集し、カテゴリー分類に併せテキストの特徴的単語を抽出し、他方検索語の頻出傾向と該検索語から開かれるウェブページを収集し、検索語とカテゴリーの対応を適切に設定することで、カテゴリーを挟んだウェブページの特徴的な単語と検索語の関係、重畳性をカテゴリーサークル型の画面に表示し、言語検索に併せて視覚的選択肢を表示する技術がある。（例えば、非特許文献参照）
【先行技術文献】
【特許文献】
【０００７】
【特許文献１】特開２０００−３３９３３０公報
【０００８】
【特許文献２】特開２００２−１３２８０８公報
【０００９】
【非特許文献１】最新情報の話題性に着目した情報取得支援システム  情報処理学会：インタラクション２００４  発表稿Ｐ２３１〜２
【発明の概要】
【発明が解決しようとする課題】
【００１０】  前記の背景技術は、ＵＲＬを分類蓄積するカテゴリーから行う検索または言語入力による直接検索を前提に、利用者が行う検索の範囲を拡大させると共に、開設者に、コンテンツに適するカテゴリーを用意する検索サイトの選択、ヒット性の高いキーワードの配置、肌理細かい情報の更新等を促すものであるが、開設者がイニシアティブを発揮する余地を具体化し、コンテンツ活用機会の拡大を導くまでには至っていない。【００１１】  一方、今日のウェブページは調査、宣伝、販売、決済等のマーケティング活動の多くをページ上で実行、完結可能な実務処理機能を備えるなど、一般広告媒体の域を超える総合的マーケティング媒体に進化を遂げており、開設者がコンテンツ公開に併せて、ウェブページによるマーケティング活動を、自らのイニシアティブの下で実行したいと望むことは想像に難くない。
【課題を解決するための手段】
【００１２】  本発明は、上記の点に鑑みなされたもので、対象とする情報分野における開設者と利用者間の情報の需給状況および該分野の情報構造に見合う階層型カテゴリーを用意し、開設者が公開するコンテンツの広告に適するカテゴリーを、上階層から階層順に選択して利用者を該コンテンツに導く道筋を付ける手段、コンテンツを紹介する広告記事を制作し、利用者が選択する階層型カテゴリー下端にある下階層カテゴリー一覧画面の該カテゴリー広告欄に自己の広告名義と共に露出する手段、同広告記事および広告名義からコンテンツ掲載ページに広告の有効期間に見合うリンクを設定し、利用者のクリックで該コンテンツを利用者のコンピュータにダウンロードする手段を講じた。【００１３】  プログラム処理では、カテゴリーデータベースから同一構造の階層型カテゴリー選択画面を構成し、開設者の広告用および利用者の検索用の各用途に合わせて表示し、各階層順のカテゴリー選択を画面遷移により受付け、広告用の上階層から下階層に至る選択済カテゴリーセットを所定のデータ形式で関係データベースに階層順に登録するステップを備えた。【００１４】  上記カテゴリー選択に続いて、開設者向けに広告用総合入力画面を構成表示し、広告記事の入力、コンテンツ掲載ページのＵＲＬ入力、リンク期間の選択等を受付け、各入力を所定のデータ形式により関係データベースの所定フィールドに登録し、広告用レコードとしてのデータ完備を行うステップを備えた。また利用者向けには、中階層カテゴリーの選択により下階層カテゴリーを広告欄付の一覧形式で表示し、該下階層カテゴリーを含むカテゴリーセットで登録済みのレコードデータから広告名義および広告記事を読出し、該広告欄上に広告設定日時の降順で露出するステップを備えた。
なお、広告欄上の広告等の露出件数が増加した場合、スペース拡張可のサイン表示を行い、同サインのクリックで拡張広告スペースを表示するステップを備えた。【００１５】  上記広告名義および広告記事の双方をリンク元としてデータベースに登録済みのＵＲＬへのリンクを設定し、クリックによるコンテンツのダウンロードおよび同回数の計数を行うステップを備えた。【００１６】  また、開設者が現に広告中のコンテンツの閲覧状況を照会するため広告用トップ画面でパスワードを入力すると、全広告についてカテゴリーセットと広告記事の組合せを単位にカウンタの計数を読出し、広告開始日時の降順により表示するステップを備えた。
【発明の効果】
【００１７】  本発明で、開発者は目的とする情報分野に向けて自らカテゴリーの選択を行い、メッセージ性のある広告記事を発信することで、利用者のカテゴリー選択における迷いやカテゴリーに対する合理性に欠ける期待を除き、利用者の意に叶う高いヒット率でコンテンツの流通を完結させることができる。一方利用者は、下階層カテゴリーの広告欄に集まる複数の開設者の広告から、多くの同種情報の存在を知り、広告による選択を行いつつ、クリック操作により、効率良く望むコンテンツを入手することができる。
また開設者は、広告期間設定によるコンテンツの新鮮さの維持と無効化防止による利用者の信頼の下に、広告期間中の広告効果検証を活かして、該広告の再出、広告記事の差替え、カテゴリーセット変更、時の話題性に沿う別視点での再広告等を広告戦略的に検討し、日常的に対処することができる。【００１８】  本システムは、目的とする情報分野を具体的にとらえ、かつジャンルやカテゴリーにより有意な情報分類が可能であれば、同分野に適するカテゴリー分類を階層型構造で用意することにより、直ちに該分野向けに構築することが可能である。また本システムは、独立したサイトとして構築するだけでなく、ウェブページ上で広範、大量、多頻度の情報発信を頻繁に行うサイト内のサブシステムとして、サイト内の情報発信を分類、整理して利用者に仕向ける等により、情報サービス等の拡大、改善に役立てることができる。
また国内利用に限らず、適切な言語サポート機能を付加することにより、国際的な情報流通環境として構築することも容易である。
【図面の簡単な説明】
【００１９】
【図１】システムの構成と運用法を説明する図
【図２】開設者の広告設定と同プログラム処理を説明する図
【図３】利用者の広告検索・閲覧および同プログラム処理を説明する図
【図４】トップページ兼広告検索画面および広告設定画面を説明する図（実施例）
【図５】開設者用の広告総合入力画面を説明する図（実施例）
【図６】利用者の広告検索用中層カテゴリー画面を説明する図（実施例）
【図７】広告の露出およびコンテンツのダウンロードを説明する図（実施例）
【図８】開設者用の広告効果等の確認画面を説明する図（実施例）
【発明を実施するための最良の形態】
【００２０】  以下、本発明の実施の形態を図１〜図３に基づいて説明する。【００２１】  図１は、システムの構成と運用法を説明する図である。図中の１０は本システムの運営管理者（以降、単に「管理者」と記述する）、１１は同管理者が本システムを運用するためのウェブ・データベースサーバ（以降、単に「管理サーバ」と記述する）、２０は開設者、２１は同開設者が制作したコンテンツのアップロード先ウェブサーバ（以降、単に「コンテンツサーバ」と記述する）、３０および４０はコンテンツを求め検索、閲覧する不特定の利用者である。
図中の閉じた円はインターネット網で、開設者、管理者および利用者が夫々接続し、管理者が本システムにより提供するサービスを、開設者が公開中のコンテンツの広告のため、また利用者が求めるコンテンツを検索、閲覧するために利用する。【００２２】  管理サーバは、当事者のアクセスにより、階層型カテゴリーの上階層リストを中心とするトップページを構成し、利用者の広告検索待ちの状態で表示し、併せて関係データベースに記憶済みのカテゴリー毎の集計値を算出し、リスト上のカテゴリーに合わせ表示する。開設者がトップページでパスワードを入力すると、該リストを開設者の広告設定用の画面に切換える。【００２３】  開設者２０は、前記の広告設定用の画面で、矢線１により、コンテンツサーバ２１上で公開中のコンテンツ２１Ａおよび２１Ｂを広告するに適したカテゴリーを階層型カテゴリーリストで階層順に選択し、続いて表示される広告用総合入力画面で、両コンテンツの広告記事を制作・入力し、また各コンテンツを掲載するウェブページＵＲＬを入力し、該各ＵＲＬへのリンク期間を選択する。管理サーバでは、これらの選択または入力の結果を関係データベース所定のデータ形式に変換の上、該テータベーステーブルの指定フィールドに登録し、開設者の確認を経て各広告用レコードとして記憶する。【００２４】  利用者３０が、前記の広告検索待ちの状態から、上階層、次いで中階層のカテゴリー選択を行うと、広告欄付下層カテゴリーリストが開き、各下層カテゴリーに対応する広告中の全ての広告記事を開設者の広告名義とともに露出する。同利用者が、広告欄上に露出した広告記事１１Ａを選びクリックすると該広告からコンテンツサーバ上のファイル２１Ａへのリンクが作動し、インターネット経由で矢線３により利用者３０へコンテンツＡがダウンロードされる。同様に矢線４により管理サーバにアクセスし広告１１Ｂを見出した利用者４０は、同様の手順で矢線５のダウンロードを実行により、コンテンツＢを閲覧する。【００２５】  図２は開設者の広告設定と同プログラム処理を説明する図であり、左に開設者の操作を、右に該操作に伴うプログラム処理を対応させて示す。開設者が管理サーバにアクセスすると階層型データベースからデータを読出し、上層カテゴリー画面を中心とするトップページ（図示省略）を表示する。開設者のログインにより広告用画面切換１０１を行い、開設者のカテゴリー選択に合わせ、上層から順次、中層、下層へと遷移するカテゴリー選択画面１０２を表示する。各画面での開設者のカテゴリー選択によりカテゴリーデータ複製１０３を行い、リレーショナルデータベースのデータベーステーブル（以降、単に「テーブル」と記述する）の所定フィールドに登録する。次いで総合入力画面構成１０４を行い、総合入力画面１０５を表示する。同画面で開設者が行う広告記事の入力、コンテンツ掲載ページＵＲＬの入力、リンク期間の選択を各所定の形式へデータ変換１０６し、テーブルの所定フィールドへの登録１０７を行う。続いて入力等確認画面構成１０８を行い、広告設定確認画面１０９を表示する。開設者が広告設定要件を確認し、指定操作を行うとテーブル上の登録済みデータを広告用レコードとして確定し、リンク期間中記���すると共に、リンク期間のカレンダー管理および利用者の広告クリックによるカウンタ管理の機能セット１１０を行う。テーブル上の該レコードは、カレンダー管理によるリンク期間の満了により削除する。【００２６】  図３は、利用者の広告検索・閲覧および同プログラム処理を説明する図である。管理サーバへのアクセスがあると、階層型カテゴリーデータベースからカテゴリー検索画面構成２０１を行い、上階層のカテゴリー検索画面２０２を表示する。利用者のカテゴリー選択により画面を中階層カテゴリー選択画面に遷移させ、同画面で利用者が選択を終えると、該選択カテゴリーの下階層カテゴリー一覧画面構成２０３を行う。次いで、下層カテゴリーの各広告欄毎に、開設者が入力した広告記事と開設者の広告名義との全セットを露出するカテゴリー対応広告画面構成２０４を行い、下階層のカテゴリー別広告一覧画面２０５を表示する。該セットの露出は各広告欄に広告設定日の降順により表示される。利用者が該セットを選択し、クリックするとＵＲＬ実行２０６により、該広告レコード上の所定のカウンタで閲覧カウント２０７が行われ、同時にリンク先のコンテンツ掲載ページがインターネット経由で利用者のパソコンにダウンロードされ、コンテンツ表示２０８が実行される。
【実施例】
【００２７】  本システムの実施例として、以下に、出版社と出版情報の需要者である読者、書店および図書館（以降、本願において「読者等」と記述する）との間における本システムの実施例を紹介する。
なお出版情報は、前記の「開設者と利用者間に流通するコンテンツが該情報分野として特徴的かつ具体的に捉えられ、かつジャンルやカテゴリーにより有意に分類することが可能な情報・・」と見られ、流通するコンテンツが“本の刊行情報”として特徴的かつ具体的に捉えられると共に、“日本図書コード”による書籍分類を始めとして、書店、図書館等における実用的分類も含め、分類が一般化している情報分野でもあるので実施例として採用したものである。【００２８】  本発明の実施例について図４〜図８に基づいて説明する。【００２９】  図４はトップページ兼広告検索画面および広告設定画面を説明する図である。利用者が本システムにアクセスした際に表示するトップページ兼検索用上階層カテゴリー一覧画面であり、個々のカテゴリーには、同カテゴリー下の下層カテゴリーに露出中の広告数を表示し、利用者がアクセスと同時にカテゴリー別の広告数を知る誘引効果を付加している。
開設者は、利用者と同様に本システムにアクセスした後、トップページのボタンからＩＤ入力画面を呼出し、その入力後、本図に準じた広告設定画面で上階層カテゴリーの選択を行い、次いで画面遷移に従い、中層および下層カテゴリー画面へとカテゴリー選択を進め、広告に適する階層型カテゴリーセットの選択を終える。なお、広告用各層画面では、カテゴリー毎の露出中広告数は非表示となる。【００３０】  図５は、開設者用の広告総合入力画面を説明する図である。同画面は、開設者の最初のカテゴリーセット選択終了と共に表示し、画面の左部分では、コンテンツ広告の切口を複数用意するカテゴリーセットの追加のために上層カテゴリー画面への回帰、また不要なカテゴリーセットの削除など、階層型カテゴリーを使い分け、広告への道筋を単〜複数で設定する操作を行う。
画面の右部分では、現在設定中の広告の一部となる広告名義の表示会社名が前記のＩＤ入力により自動露出する外、広告記事およびコンテンツ掲載のウェブページＵＲＬを各入力する欄が表示される。該入力は手入力、コピーアンドペーストおよびこれ等の組合せの何れでもよい。また広告効果を考慮した該ＵＲＬへのリンク期間を複数用意し、プルダウン方式により選択することとしている。各選択、入力を終え、“次へ”のボタンで表示される確認画面（省略）で“指定”ボタンをクリックすると、上記入力等を所定のデータに変換し、データベーステーブルに登録、記憶し、広告の露出および利用者のクリックによるコンテンツのダウンロードを実行する。【００３１】  図６は、広告検索用中層カテゴリー画面説明図である。利用者が前記の検索用上階層カテゴリー画面で行った選択に続き表示される中階層カテゴリーの選択画面である。本図では、上階層カテゴリーで“生活”が選択された場合の中階層カテゴリーリストを例として示している。【００３２】  図７は、広告の露出およびコンテンツのダウンロードを説明する図である。上記中階層カテゴリーの選択画面で“マナー・交際”が選択された場合に表示する下層カテゴリーの一覧画面の例であり、各カテゴリー下の広告欄には、開設者が設定した広告が広告名義とセットで、設定日時の降順で露出し、利用者のクリックにより広告元のコンテンツがダウンロードされる様子を示す。広告欄は一覧画面では限られるため、広告露出数によりスペース拡張サイン“ｍｏｒｅ”を赤色点灯し、利用者が同サインをクリックすることで数十件分の拡張スペースを表示する。【００３３】  図８は、開設者用の広告効果等の確認画面を説明する図である。開設者が広告設定用の上階層カテゴリー画面でＩＤ入力画面を呼出し、ＩＤを入力すると、同ＩＤで設定を行った広告中の全広告を本図の形式、内容で表示する。本図は広告名義○○○○を登録した開設者が広告中の１件分の画面であり、設定時のリンク期間、カテゴリーセット、広告文およびリンク開始後のアクセス数を表示する。広告数が複数の場合は、広告設定日時の降順で表示され、アクセス数はカウンタの累積計数を照会時点で読出し表示する。
広告設定の際の諸判断に対し、カテゴリーセット、リンク設定のタイミング、広告開始後の経過期間、広告記事の適否などを、アクセス実績の推移を加味するなどにより多様な視点から評価することで、広告戦略的アセスメントを可能とする。
【産業上の利用可能性】
【００３４】  開設者は「利用者が求める情報を予測し」、利用者は「開設者の公開する情報を期待する」という相対関係にあり、情報分野に見合う「カテゴリー分類のゲート」を両者間に設け、開設者が「広告的告知」を行う環境を付加すれば、開設者がコンテンツを仕向け、利用者がコンテンツを求める行動が高い確率で出合い、情報流通が加速されると考えられる。本システムはカテゴリー分類を始め、備える諸機能を目的とする分野に合わせカスタマイズすることで、分野を選ばず産業の活性化に寄与することが可能である。
また、海外〜国内間の情報流通に関しても、日・英の二重型または対訳型のカテゴリー設定、対訳型広告記事を主とする翻訳サポート等の準備により、情報流通システムとしての実用性を支障なく発揮できる。【００３５】  産業上の利用に関しシステムの好適、不適は特に無く、コンテンツがアイテム単位、即ち該コンテンツ掲載ページが固有のＵＲＬを持つこと、また１掲載ページに複数のアイテムを置く場合はアイテム単位のラベリングが有効に設定されること、を各必要条件とするのみである。これは、広告の有効性との関係で１アイテム１広告を原則とするためである。また現システムでは、１２０日間を超える広告設定および６０字を超える広告記事設定を一般条件として不可としている。【００３６】  利用者のカテゴリー検索で開く中階層カテゴリーリスト外のスペースはバナー広告用として、検索操作で当画面位置にある利用者向けに高い有効性が期待されることから、同機能の設定が有効と考えられる。【００３７】  本システムでは利用開始に当り事務的事項の外、開設者の公式ホームページＵＲＬ、広告名義・同広告回数枠を登録し、これに対応するＩＤコード・パスワードを取得するのみで、システムの構成や運用に係る情報、データ類の提供等は一切不要である。開設者、利用者共に、短期間の経験的な操作法の習得のみで、ＴＰＯの制約なしに、システムの通常使用を行うことができる。
【符号の説明】
【００３８】  １    開設者２０の広告設定矢線
２    利用者３０の広告１１Ａクリック矢線
３    同上によるコンテンツ２１Ａのダウンロード矢線
４    利用者４０の広告１１Ｂクリック矢線
５    同上によるコンテンツ２１Ｂのダウンロード矢線
１０    システム管理者
１１    システム管理者用サーバ
１１Ａ  開設者設定の広告記事Ａ
１１Ｂ  開設者設定の広告記事Ｂ
２０    開設者
２１    開設者のコンテンツアップロードサーバ
２１Ａ  開設者のアップロード済コンテンツＡ
２１Ｂ  開設者のアップロード済コンテンツＢ
３０    利用者
４０    利用者
【図１】
2012104141.tif 000003
【図２】
2012104141.tif 000004
【図３】
2012104141.tif 000005
【図４】
2012104141.tif 000006
【図５】
2012104141.tif 000007
【図６】
2012104141.tif 000008
【図７】
2012104141.tif 000009
【図８】
2012104141.tif 000010